(57)【要約】【課題】管理装置のネットワークに係る設定を支援する仕組みを提供することを目的とする。【解決手段】管理装置は、移動体通信網の加入者情報である第１加入者情報を有し、前記第１加入者情報とは識別対象の装置が異なる前記加入者情報である第２加入者情報を有する通信端末装置と通信可能な管理装置であって、前記通信端末装置の無線通信方式の通信の接続状態を示す接続状態情報を取得する取得部と、前記取得部が取得する前記接続状態情報に基づいて、移動体通信網を介した無線通信方式である第１無線通信方式、又は前記移動体通信網を介さない無線通信方式である第２無線通信方式のいずれかを自装置の通信方式として選択する選択部と、前記選択部が選択する通信方式に基づいて無線通信する通信部と、を備える。【選択図】図１
2018113559.tif 000002
【特許請求の範囲】
【請求項１】
移動体通信網の加入者情報である第１加入者情報を有し、前記第１加入者情報とは識別対象の装置が異なる前記加入者情報である第２加入者情報を有する通信端末装置と通信可能な管理装置であって、
前記通信端末装置の無線通信方式の通信の接続状態を示す接続状態情報を取得する取得部と、
前記取得部が取得する前記接続状態情報に基づいて、移動体通信網を介した無線通信方式である第１無線通信方式、及び前記移動体通信網を介さない無線通信方式である第２無線通信方式のいずれかを自装置の通信方式として選択する選択部と、
前記選択部が選択する通信方式に基づいて無線通信する通信部と、
を備える管理装置。
【請求項２】
前記選択部は、
前記接続状態情報が接続可能なことを示す無線通信方式を自装置の通信方式として選択し、
前記通信部は、前記選択部が選択する無線通信方式によって無線通信する、
請求項１に記載の管理装置。
【請求項３】
前記選択部は、
前記接続状態情報が、前記第２無線通信方式に接続可能なことを示す場合、前記第２無線通信方式を自装置の通信方式として選択し、
前記取得部は、
前記第２無線通信方式の通信に使用される鍵情報を前記通信端末装置から取得し、
前記通信部は、
前記取得部が取得する前記鍵情報を使用し、前記第２無線通信方式によって無線通信する、
請求項１に記載の管理装置。
【請求項４】
自装置の無線通信方式の通信の接続状態を検出する検出部
を備え、
前記選択部は、
前記検出部が前記接続状態を検出した検出結果が、前記第２無線通信方式に接続可能なことを示し、かつ前記検出結果が前記第２無線通信方式に接続不可能であることを示す場合、前記第１無線通信方式を自装置の通信方式として選択し、
前記通信部は、前記第１無線通信方式によって無線通信する、
請求項１から請求項３のいずれか一項に記載の管理装置。
【請求項５】
前記通信部は、
自装置が提供する無線通信方式である第３無線通信方式によって前記通信端末装置と無線通信し、前記第２無線通信方式又は前記第１無線通信方式と、前記第３無線通信方式との通信を中継する、
請求項１から請求項４のいずれか一項に記載の管理装置。
【請求項６】
前記第３無線通信方式を前記通信端末装置の無線通信方式として指定する通信方式指定部
を備える請求項５に記載の管理装置。
【請求項７】
移動体通信網の加入者情報である第２加入者情報を有し、前記第２加入者情報とは識別対象の装置が異なる前記加入者情報である第１加入者情報を有する管理装置と通信可能な通信端末装置であって、
管理装置が提供する無線通信方式である第３無線通信方式によって前記管理装置と無線通信する通信部、
を備え、
前記通信部は、
移動体通信網を介した無線通信方式である第１無線通信方式の通信と、前記移動体通信網を介さない無線通信方式である第２無線通信方式の通信とを、前記管理装置を中継して行う、
通信端末装置。
【請求項８】
移動体通信網の加入者情報である第１加入者情報を有し、前記第１加入者情報とは識別対象の装置が異なる前記加入者情報である第２加入者情報を有する通信端末装置と通信可能なコンピュータに、
前記通信端末装置の無線通信方式の通信の接続状態を示す接続状態情報を取得する取得ステップと、
前記取得ステップが取得する前記接続状態情報に基づいて、移動体通信網を介した無線通信方式である第１無線通信方式、及び前記移動体通信網を介さない無線通信方式である第２無線通信方式のいずれかを自装置の通信方式として選択する選択ステップと、
前記選択ステップが選択する通信方式に基づいて無線通信する通信ステップと、
を実行させるためのプログラム。
【発明の詳細な説明】
【技術分野】
【０００１】
本発明は、管理装置、通信端末装置及びプログラムに関する。
【背景技術】
【０００２】
従来、携帯電話等の通信端末装置と、通信端末装置の情報を管理するサーバ等の管理装置とがネットワークを介して接続され、通信端末装置に保存される情報を管理装置と共有する技術が知られている（例えば、特許文献１）。
【先行技術文献】
【特許文献】
【０００３】
【特許文献１】特開２０００−１８１８６２号公報
【発明の概要】
【発明が解決しようとする課題】
【０００４】
ここで、携帯電話のユーザは、自身が使用する携帯電話の情報をサーバ等の管理装置に共有しつつ、当該サーバに共有した情報の漏えい等を予防したいと考える場合がある。この場合、ユーザは、携帯電話の情報が共有される管理装置が、ユーザの自宅や職場等、ユーザの行動範囲と物理的に近い場所に設置されることが好ましいと考える場合がある。
しかしながら、ユーザが、携帯電話の操作やネットワークの設定について不得手である場合、管理装置及び携帯電話の設定を行うことが困難である場合があった。
本発明は、上記問題に鑑みて為されたものであり、管理装置のネットワークに係る設定を支援する仕組みを提供することを目的とする。
【課題を解決するための手段】
【０００５】
（１）本発明の一態様は、移動体通信網の加入者情報である第１加入者情報を有し、前記第１加入者情報とは識別対象の装置が異なる前記加入者情報である第２加入者情報を有する通信端末装置と通信可能な管理装置であって、前記通信端末装置の無線通信方式の通信の接続状態を示す接続状態情報を取得する取得部と、前記取得部が取得する前記接続状態情報に基づいて、移動体通信網を介した無線通信方式である第１無線通信方式、及び前記移動体通信網を介さない無線通信方式である第２無線通信方式のいずれかを自装置の通信方式として選択する選択部と、前記選択部が選択する通信方式に基づいて無線通信する通信部と、を備える管理装置である。
【０００６】
（２）本発明の一態様は、上記（１）に記載の管理装置において、前記選択部は、前記接続状態情報が接続可能なことを示す無線通信方式を自装置の通信方式として選択し、前記通信部は、前記選択部が選択する無線通信方式によって無線通信する。
【０００７】
（３）本発明の一態様は、上記（１）又は（２）に記載の管理装置において、前記選択部は、前記接続状態情報が、前記第２無線通信方式に接続可能なことを示す場合、前記第２無線通信方式を自装置の通信方式として選択し、前記取得部は、前記第２無線通信方式の通信に使用される鍵情報を前記通信端末装置から取得し、前記通信部は、前記取得部が取得する前記鍵情報を使用し、前記第２無線通信方式によって無線通信する。
【０００８】
（４）本発明の一態様は、上記（１）から（３）のいずれかに記載の管理装置において、自装置の無線通信方式の通信の接続状態を検出する検出部を備え、前記選択部は、前記検出部が前記接続状態を検出した検出結果が、前記第２無線通信方式に接続可能なことを示し、かつ前記検出部の検出結果が前記第２無線通信方式に接続不可能であることを示す場合、前記第１無線通信方式を自装置の通信方式として選択し、前記通信部は、前記第１無線通信方式によって無線通信する。
【０００９】
（５）本発明の一態様は、上記（１）から（４）のいずれかに記載の管理装置において、前記通信部は、自装置が提供する無線通信方式である第３無線通信方式によって前記通信端末装置と無線通信し、前記第２無線通信方式又は前記第１無線通信方式と、前記第３無線通信方式との通信を中継する。
【００１０】
（６）本発明の一態様は、上記（１）から（５）のいずれかに記載の管理装置において、前記第３無線通信方式を前記通信端末装置の無線通信方式として指定する通信方式指定部を備える。
【００１１】
（７）本発明の一態様は、移動体通信網の加入者情報である第２加入者情報を有し、前記第２加入者情報とは識別対象の装置が異なる前記加入者情報である第１加入者情報を有する管理装置と通信可能な通信端末装置であって、管理装置が提供する無線通信方式である第３無線通信方式によって前記管理装置と無線通信する通信部、を備え、前記通信部は、移動体通信網を介した無線通信方式である第１無線通信方式の通信と、前記移動体通信網を介さない無線通信方式である第２無線通信方式の通信とを、前記管理装置を中継して行う、通信端末装置。
【００１２】
（８）移動体通信網の加入者情報である第１加入者情報を有し、前記第１加入者情報とは識別対象の装置が異なる前記加入者情報である第２加入者情報を有する通信端末装置と通信可能なコンピュータに、前記通信端末装置の無線通信方式の通信の接続状態を示す接続状態情報を取得する取得ステップと、前記取得ステップが取得する前記接続状態情報に基づいて、移動体通信網を介した無線通信方式である第１無線通信方式、及び前記移動体通信網を介さない無線通信方式である第２無線通信方式のいずれかを自装置の通信方式として選択する選択ステップと、前記選択ステップが選択する通信方式に基づいて無線通信する通信ステップと、を実行させるためのプログラム。
【発明の効果】
【００１３】
本発明によれば、通信端末装置と、管理装置との接続に係る設定を支援する仕組みを提供することができる。
【図面の簡単な説明】
【００１４】
【図１】第１実施形態に係るＮＡＳ装置及び通信端末装置の概要を示す図である。
【図２】第１実施形態に係るＮＡＳ装置及び通信端末装置の機能構成の一例を示す図である。
【図３】第１実施形態に係るＮＡＳ装置の動作の一例を示す流れ図である。
【図４】変形例に係るＮＡＳ装置及び通信端末装置の機能構成の一例を示す図である。
【図５】第２実施形態に係るＮＡＳ装置及び通信端末装置の機能構成の一例を示す図である。
【発明を実施するための形態】
【００１５】
［第１実施形態］
以下、図を参照して本発明の実施形態について説明する。
【００１６】
＜ＮＡＳ装置の概要＞
図１は、第１実施形態に係るＮＡＳ装置１０及び通信端末装置２０の概要を示す図である。
ＮＡＳ（Ｎｅｔｗｏｒｋ  Ａｃｃｅｓｓ  Ｓｅｒｖｅｒ）装置１０は、通信端末装置２０から受信するデータ（例えば、音楽、写真及び動画等）を管理する。ＮＡＳ装置１０は、ハードディスクドライブやＲＯＭ（Ｒｅａｄ−Ｏｎｌｙ−ｍｅｍｏｒｙ）などの記憶部１５０を備えている。この記憶部１５０には、通信端末装置２０から送信される写真や動画、音楽などのデータが保存される。この記憶部１５０に記憶されるデータは、通信端末装置２０が読み出すことも可能である。この場合、ＮＡＳ装置１０は、通信端末装置２０のファイルサーバとして機能する。
【００１７】
ＮＡＳ装置１０は、通信端末装置２０との間のデータの送受信を、無線通信によって行う。このＮＡＳ装置１０が行う無線通信には、さまざまな方式がある。例えば、ＮＡＳ装置１０が行う無線通信には、ＢＬＥ（Ｂｌｕｅｔｏｏｔｈ（登録商標）  Ｌｏｗ  Ｅｎｅｒｇｙ）やＷｉ−Ｆｉ（登録商標）による近距離無線通信、ＬＴＥ（Ｌｏｎｇ  Ｔｅｒｍ  Ｅｖｏｌｕｔｉｏｎ）などの移動体通信網を介した無線通信、及び赤外線による無線通信などの方式がある。
ここでは、ＮＡＳ装置１０が、通信端末装置２０との間においてＢＬＥ、Ｗｉ−Ｆｉ、及びＬＴＥによって通信が可能である場合について説明する。
【００１８】
この一例では、ＮＡＳ装置１０は、Ｗｉ−Ｆｉによる近距離無線通信を行うルータＲＴがユーザの宅内に設置されているか否かによって、通信端末装置２０との間の通信方式を選択する。ＮＡＳ装置１０は、ユーザの宅内にルータＲＴが設置されている場合には、Ｗｉ−Ｆｉによってデータの授受を行う。ＮＡＳ装置１０は、ユーザの宅内にルータＲＴが設置されていない場合には、ＬＴＥによってデータの授受を行う。
【００１９】
＜通信端末装置の概要＞
通信端末装置２０は、可搬型の装置であり、ユーザの操作に応じて無線通信を行う。通信端末装置２０とは、例えば、携帯電話、スマートフォン及びタブレット型のコンピュータ（タブレットＰＣ）等の携帯型のパーソナルコンピュータなどである。
通信端末装置２０は、ＮＡＳ装置１０との間においてＢＬＥ、Ｗｉ−Ｆｉ、及びＬＴＥによって通信が可能である。
【００２０】
＜加入者識別子ＩＤについて＞
ＮＡＳ装置１０及び通信端末装置２０は、いずれも、移動体通信網を利用するサービスに加入する加入者を識別するための識別チップを備える。この識別チップとは、例えば、ＳＩＭ（Ｓｕｂｓｃｒｉｂｅｒ  Ｉｄｅｎｔｉｔｙ  Ｍｏｄｕｌｅ）である。このＳＩＭには、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）が、加入者を識別する加入者識別子ＩＤとして記憶されている。
ＬＴＥなどの移動体通信網を介した通信サービスは、通信事業者によって提供される。通信事業者は、ＩＭＳＩ（加入者識別子ＩＤ）と、電話番号とを対応付けて加入者の装置による通信を管理する。ＮＡＳ装置１０及び通信端末装置２０は、ＳＩＭを装着することにより、移動体通信網を介した相互の通信が可能になる。
【００２１】
なお、以下の説明において、ＮＡＳ装置１０に装着されているＳＩＭの加入者識別子ＩＤをＮＡＳ識別子ＩＤ１とも記載する。また、通信端末装置２０に装着されているＳＩＭの加入者識別子ＩＤを端末識別子ＩＤ２とも記載する。
【００２２】
また、以下の説明において、ＮＡＳ装置１０がルータＲＴを経由して通信端末装置２０とデータの授受を行う場合を「ルータ経由無線ＬＡＮ方式」又は単に「ルータ経由方式」とも記載する。
また、以下の説明において、ＮＡＳ装置１０がルータＲＴを経由せずに、ＬＴＥなどの移動体通信網を介してして通信端末装置２０とデータの授受を行う場合を「ＬＴＥ経由方式」とも記載する。
【００２３】
ここで、ＮＡＳ装置１０や通信端末装置２０を使用するすべてのユーザがＷｉ−Ｆｉ等の通信設定に詳しいとは限らない。通信設定に詳しくないユーザの場合、ユーザは、宅内にルータＲＴが設置されているか否かを把握していない場合がある。また、このようなユーザの場合、ユーザは、宅内にルータＲＴが設置されていることを把握していても、ルータＲＴとＮＡＳ装置１０との間の通信設定や、ルータＲＴと通信端末装置２０との間の通信設定を滞りなく行えるとは限らない。
本実施形態のＮＡＳ装置１０は、ＮＡＳ装置１０と通信端末装置２０との間の通信設定を自動的に行うことにより、上述したような通信設定に詳しくないユーザに対する支援を行う。以下、これらＮＡＳ装置１０及び通信端末装置２０の具体的な機能構成について説明する。
【００２４】
＜機能構成＞
以下、図２を参照して通信端末装置２０及びＮＡＳ装置１０の機能構成について説明する。
図２は、第１実施形態に係るＮＡＳ装置１０及び通信端末装置２０の機能構成の一例を示す図である。
上述したように、ルータＲＴは、ルータ経由方式による無線通信を提供する。
【００２５】
＜通信端末装置の機能構成＞
通信端末装置２０は、Ｗｉ−Ｆｉ無線通信部２１０と、ＢＬＥ無線通信部２２０と、ＬＴＥ無線通信部２３０と、操作部２４０と、表示部２５０と、ＣＰＵ（Ｃｅｎｔｒａｌ  Ｐｒｏｃｅｓｓｉｎｇ  Ｕｎｉｔ）２６０と、記憶部２７０とを備える。これら各部は、内部バスによって相互に接続される。
Ｗｉ−Ｆｉ無線通信部２１０は、他の通信機器との間においてＷｉ−Ｆｉ方式によって無線通信を行う。
ＢＬＥ無線通信部２２０は、他の通信機器との間においてＢＬＥ方式によって無線通信を行う。
ＬＴＥ無線通信部２３０は、他の通信機器との間においてＬＴＥ方式によって無線通信を行う。
【００２６】
操作部２４０は、入力デバイスを備え、ユーザの操作を受け付ける。この入力デバイスには、キーボード等の文字情報を入力するデバイス、マウス、タッチパネル等のポインティングデバイス、ボタン、ダイヤル、ジョイスティック、タッチセンサ、タッチパッド等が含まれる。表示部２５０は、ＣＰＵ２６０によって制御され、画像、ＧＵＩ（Ｇｒａｐｈｉｃａｌ  Ｕｓｅｒ  Ｉｎｔｅｒｆａｃｅ）等を表示する。この一例では、操作部２４０とは、タッチパネルである。
【００２７】
記憶部２７０は、例えば、ハードディスクドライブやＲＯＭ等を備え、通信端末装置２０を制御するためのプログラムなどが記憶されている。
ルータ経由方式の場合、記憶部２７０には、通信端末装置２０がルータＲＴにアクセスするための鍵情報ＫＹＲが記憶される。鍵情報ＫＹＲとは、例えば、ＷＥＰ（Ｗｉｒｅｄ  Ｅｑｕｉｖａｌｅｎｔ  Ｐｒｉｖａｃｙ）等の暗号化キーである。
ここで、ＮＡＳ装置１０と、通信端末装置２０とがルータ経由無線ＬＡＮ方式の通信によってデータの授受を行う場合、通信端末装置２０は、ルータＲＴが提供する無線通信にアクセスするための鍵情報ＫＹＲを用いる。この一例では、通信端末装置２０は、ルータＲＴが提供する無線通信に予め接続される。このため、通信端末装置２０は、記憶部２７０に鍵情報ＫＹＲが記憶される。
【００２８】
ＣＰＵ２６０は、記憶部２７０に格納されるプログラムを実行し、通信端末装置２０の各部を制御する。例えば、ＣＰＵ２６０は、Ｗｉ−Ｆｉ無線通信部２１０、ＢＬＥ無線通信部２２０、及びＬＴＥ無線通信部２３０を制御することにより、他の機器との間において無線通信を行う。また、例えば、ＣＰＵ２６０は、無線通信を介したインターネットへのアクセスによって得られた画像、音声などのデータを、記憶部２７０に記憶させる。また、ＣＰＵ２６０は、記憶部２７０に記憶させたこれらのデータを、無線通信を介してＮＡＳ装置１０に送信する。
【００２９】
＜ＮＡＳ装置の機能構成＞
ＮＡＳ装置１０は、Ｗｉ−Ｆｉ無線通信部１１０と、ＢＬＥ無線通信部１２０と、ＬＴＥ無線通信部１３０と、ＣＰＵ１４０と、記憶部１５０とをその機能部として備える。これら各部は、内部バスによって相互に接続される。
【００３０】
Ｗｉ−Ｆｉ無線通信部１１０は、他の通信機器との間においてＷｉ−Ｆｉ方式によって無線通信を行う。
ＢＬＥ無線通信部１２０は、他の通信機器との間においてＢＬＥ方式によって無線通信を行う。
ＬＴＥ無線通信部１３０は、他の通信機器との間においてＬＴＥ方式によって無線通信を行う。
【００３１】
記憶部１５０は、例えば、ハードディスクドライブやＲＯＭ等を備え、ＮＡＳ装置１０を制御するためのプログラムなどが記憶されている。
ルータ経由方式の場合、記憶部１５０には、ＮＡＳ装置１０がルータＲＴにアクセスするための鍵情報ＫＹＲが記憶される。この鍵情報ＫＹＲとは、通信端末装置２０に記憶されている鍵情報ＫＹＲと同一の鍵情報であり、例えば、ＷＥＰ等の暗号化キーである。この一例では、ＮＡＳ装置１０は、ルータＲＴが提供する無線通信に予め接続されていない。このため、ＮＡＳ装置１０は、通信端末装置２０から鍵情報ＫＹＲを取得し、記憶部１５０に記憶させる。通信端末装置２０から鍵情報ＫＹＲを取得する詳細については、後述する。
【００３２】
ＣＰＵ１４０は、記憶部１５０に格納されるプログラムを実行し、ＮＡＳ装置１０の各部を制御する。例えば、ＣＰＵ１４０は、Ｗｉ−Ｆｉ無線通信部１１０、ＢＬＥ無線通信部１２０、及びＬＴＥ無線通信部１３０を制御することにより、他の機器との間において無線通信を行う。
【００３３】
また、ＣＰＵ１４０は、選択部１４１をその機能部として備える。
選択部１４１は、通信端末装置２０との間の無線通信の接続状態を示す情報（接続状態情報ＣＤ１）に基づいて、ＮＡＳ装置１０と通信端末装置２０との間の通信方式を選択する。接続状態情報ＣＤ１とは、通信端末装置２０が受信可能な無線通信の無線通信識別情報の一覧を示す情報である。この無線通信識別情報の一例として、無線ＬＡＮのアクセスポイントを識別するＳＳＩＤ（Ｓｅｒｖｉｃｅ  Ｓｅｔ  Ｉｄｅｎｔｉｆｉｅｒ）がある。
【００３４】
アクセスポイントには、固有のＳＳＩＤが割り当てられている。アクセスポイントは、周囲の無線通信装置に対してＳＳＩＤを通知する。通信端末装置２０は、アクセスポイントからＳＳＩＤを受信すると、受信したＳＳＩＤを一覧にした接続状態情報ＣＤ１を生成する。通信端末装置２０は、ＢＬＥ方式の無線通信によって、接続状態情報ＣＤ１をＮＡＳ装置１０に通知する。
ルータＲＴが宅内に設置されている場合、通信端末装置２０は、ルータＲＴのＳＳＩＤを受信する。この場合、通信端末装置２０が生成する接続状態情報ＣＤ１には、ルータＲＴのＳＳＩＤが含まれている。したがって、ルータＲＴが宅内に設置されている場合、通信端末装置２０がＮＡＳ装置１０に通知する接続状態情報ＣＤ１には、ルータＲＴのＳＳＩＤが含まれている。
つまり、通信端末装置２０は、接続状態情報ＣＤ１によって、ルータＲＴが宅内に設置されているか否かをＮＡＳ装置１０に通知する。
【００３５】
ＢＬＥ無線通信部１２０は、接続状態情報ＣＤ１をＢＬＥ方式の無線通信によって受信する。選択部１４１は、ＢＬＥ無線通信部１２０が受信した接続状態情報ＣＤ１に基づいて、ＮＡＳ装置１０の通信方式を選択する。
ルータＲＴが宅内に設置されている場合、接続状態情報ＣＤ１には、ルータＲＴのＳＳＩＤが含まれる。この場合、選択部１４１は、ルータ経由方式を、ＮＡＳ装置１０と通信端末装置２０との間の無線通信方式として選択する。
【００３６】
ここで、上述したように、ＮＡＳ装置１０がルータＲＴとの通信を行う場合、鍵情報ＫＹＲが必要である。
ルータ経由方式が選択される場合、ＮＡＳ装置１０は、ＢＬＥ方式の無線通信によって、通信端末装置２０から鍵情報ＫＹＲを受信する。ＮＡＳ装置１０は、受信した鍵情報ＫＹＲに基づいて、ルータＲＴとの通信設定を行う。これにより、ＮＡＳ装置１０は、通信端末装置２０との間において、ルータ経由方式によってデータの送受信を行う。
【００３７】
＜ＮＡＳ装置の動作について＞
以下、図３を参照し、ＮＡＳ装置１０の動作について説明する。
図３は、第１実施形態に係るＮＡＳ装置１０の動作の一例を示す流れ図である。
ＢＬＥ無線通信部１２０は、通信端末装置２０から接続状態情報ＣＤ１を取得する（ステップＳ１１０）。
選択部１４１は、接続状態情報ＣＤ１にルータＲＴのＳＳＩＤが含まれる場合（ステップＳ１２０；ＹＥＳ）、「ルータ経由方式」をＮＡＳ装置１０と通信端末装置２０との間の通信方式として選択する（ステップＳ１３０）。この場合、ＢＬＥ無線通信部１２０は、鍵情報ＫＹＲを通信端末装置２０から受信する（ステップＳ１４０）。ここで、ＢＬＥ無線通信部１２０は、受信した鍵情報ＫＹＲを記憶部１５０に記憶させる。Ｗｉ−Ｆｉ無線通信部１１０は、記憶部１５０に記憶される鍵情報ＫＹＲに基づいて、ルータＲＴが提供する無線通信に接続する。
選択部１４１は、接続状態情報ＣＤ１にルータＲＴのＳＳＩＤが含まれない場合（ステップＳ１２０；ＮＯ）、「ＬＴＥ経由方式」をＮＡＳ装置１０と通信端末装置２０との間の通信方式として選択する（ステップＳ１５０）。
ＮＡＳ装置１０は、選択部１４１が選択した通信方式の無線通信によって、通信端末装置２０とデータを送受信する（ステップＳ１６０）。
【００３８】
＜第１実施形態のまとめ＞
以上説明したように、本実施形態の管理装置（この一例では、ＮＡＳ装置１０）は、ＮＡＳ識別子ＩＤ１を有している。また、ＮＡＳ装置１０は、端末識別子ＩＤ２を有する通信端末装置２０と通信可能である。また、本実施形態のＮＡＳ装置１０は、取得部（この一例では、ＢＬＥ無線通信部２２０）と、通信部（この一例では、Ｗｉ−Ｆｉ無線通信部１１０、及びＬＴＥ無線通信部１３０）と、選択部１４１とを備える。ＢＬＥ無線通信部２２０は、通信端末装置２０の無線通信方式の通信の接続状態を示す接続状態情報ＣＤ１を取得する。選択部１４１は、接続状態情報ＣＤ１に基づいて、移動体通信網を介した無線通信方式である第１無線通信方式（この一例では、ＬＴＥ経由方式）、又は移動体通信網を介さない無線通信方式である第２無線通信方式（この一例では、ルータ経由方式）のいずれかを自装置の通信方式として選択する。通信部（この一例では、Ｗｉ−Ｆｉ無線通信部１１０、及びＬＴＥ無線通信部１３０）は、選択部２４１が選択する通信方式に基づいて無線通信する。
したがって、本実施形態のＮＡＳ装置１０によれば、ネットワーク設定が不得手なユーザであっても、ＮＡＳ装置１０が設置される環境に応じた通信方式を選択し、選択した通信方式によって無線通信させることができる。つまり、本実施形態のＮＡＳ装置１０によれば、ＮＡＳ装置１０のネットワークに係る設定を支援することができる。
【００３９】
また、本実施形態のＮＡＳ装置１０が備える選択部１４１は、接続状態情報ＣＤ１が、接続可能なことを示す無線通信方式を自装置の通信方式として選択し、通信部は、選択部１４１が選択する無線通信方式によって無線通信する。
つまり、本実施形態のＮＡＳ装置１０は、複数の通信方式のうち、データの授受が可能な通信方式を自動的に選択する。したがって、本実施形態のＮＡＳ装置１０によれば、ユーザの通信設定の手間を軽減することができる。これにより、ネットワーク設定が不得手なユーザであっても、ＮＡＳ装置１０を手軽に利用することができる。
【００４０】
また、本実施形態のＮＡＳ装置１０は、ルータ経由方式を自装置の通信方式として選択し、ＢＬＥ無線通信部２２０は、ルータ経由方式の通信に使用される鍵情報ＫＹＲを通信端末装置２０から取得し記憶部１５０に記憶させる。Ｗｉ−Ｆｉ無線通信部１１０は、記憶部１５０に記憶される鍵情報ＫＹＲを使用し、ルータ経由方式によって無線通信する。
したがって、本実施形態のＮＡＳ装置１０によれば、ネットワーク設定が不得手なユーザであっても、ルータ経由方式の接続に係る設定を支援することができる。
【００４１】
なお、移動体通信網は、ＬＴＥ方式にしたがって構築された通信網に限られず、ＬＴＥ方式にしたがって構築された通信網以外の３Ｇ方式等の通信網であってもよい。
また、上述では、ＮＡＳ装置１０が備える記憶部１５０は、ＮＡＳ装置１０に外付けされる構成であってもよい。この場合、ＮＡＳ装置１０は、無線通信によって通信端末装置２０から受信したデータを別体に構成される記憶部に保存する。
また、ＮＡＳ装置１０は、ユーザの住宅の他、ユーザが通信端末装置２０を高い使用頻度によって使用する場所（例えば、ユーザの職場等）に設置されていてもよい。
また、ルータＲＴが設置されていない場合、ＮＡＳ装置１０が備える記憶部１５０には、鍵情報ＫＹＲが記憶されていなくてもよい。
【００４２】
＜変形例＞
以下、図を参照して、第１実施形態に係る変形例について説明する。
第１実施形態では、通信端末装置２０の接続状態情報ＣＤ１に基づいて、ＮＡＳ装置１０の通信方式を選択する場合について説明した。変形例では、ＮＡＳ装置の無線通信方式の通信への接続状態を示す情報（以下、接続状態情報ＣＤ２）に基づいて、ＮＡＳ装置１０の通信方式を選択する場合について説明する。
なお、上述した第１実施形態と同様の構成については、同一の符号を付して説明を省略する。
【００４３】
図４は、変形例に係るＮＡＳ装置１０及び通信端末装置２０の機能構成の一例を示す図である。
図４に示す通り、変形例のＮＡＳ装置１０が備えるＣＰＵ１４０は、選択部１４１と、検出部１４２とをその機能部として備える。検出部１４２は、ＮＡＳ装置１０が電波を受信可能な無線通信を検出し、接続状態情報ＣＤ２を生成する。接続状態情報ＣＤ２とは、例えば、ＮＡＳ装置１０が電波を受信可能な無線通信のＳＳＩＤの一覧を示す情報である。選択部１４１は、検出部１４２が検出し、生成する接続状態情報ＣＤ２に基づいて、ＮＡＳ装置１０の通信方式を選択する。
【００４４】
ここで、宅内にルータＲＴが設置されている場合、接続状態情報ＣＤ２には、ルータＲＴのＳＳＩＤが含まれる。選択部１４１は、接続状態情報ＣＤ２にルータ経由方式のＳＳＩＤが含まれる場合、ＮＡＳ装置１０の無線通信方式としてルータ経由方式を選択する。
具体的には、宅内にルータＲＴが設置されている場合、接続状態情報ＣＤ１、及び接続状態情報ＣＤ２には、ルータＲＴのＳＳＩＤが含まれ、選択部１４１は、接続状態情報ＣＤ１と、接続状態情報ＣＤ２とを比較し、ＮＡＳ装置１０の通信方式を選択する。より具体的には、選択部１４１は、接続状態情報ＣＤ１に含まれるＳＳＩＤと、一致するＳＳＩＤが接続状態情報ＣＤ２に含まれる場合、当該ＳＳＩＤのルータ（この一例では、ルータＲＴ）を介して通信する通信方式（この一例では、ルータ経由方式）を選択する。
【００４５】
また、住宅内にルータＲＴが設置されていない場合、接続状態情報ＣＤ２には、ルータ経由方式のＳＳＩＤが含まれない。選択部１４１は、取得した接続状態情報ＣＤ２にルータ経由方式のＳＳＩＤが含まれない場合、ＮＡＳ装置１０の無線通信方式としてＬＴＥ経由方式を選択する。
【００４６】
＜変形例のまとめ＞
以上説明したように、変形例のＮＡＳ装置１０は、ＮＡＳ装置１０の通信の接続状態を検出する検出部１４２を備える。また、変形例のＮＡＳ装置１０が備える選択部１４１は、検出部１４２が検出する接続状態情報ＣＤ２が、ルータ経由方式の無線通信に接続可能なことを示し、かつ検出部１４２の検出結果がルータ経由方式の無線通信に接続不可能であることを示す場合、ＬＴＥ経由方式を自装置の通信方式として選択する。また、選択部１４１がＬＴＥ経由方式を自装置の通信方式として選択する場合、ＮＡＳ装置１０は、ＬＴＥ無線通信部１３０によってＬＴＥ経由方式の無線通信を行い、通信端末装置２０とデータの送受信を行う。
ここで、ユーザの住宅の構造やルータＲＴの電波強度等によっては、通信端末装置２０が、ルータ経由方式の無線通信が可能であっても、ＮＡＳ装置１０が、ルータ経由方式の無線通信が不可能である場合がある。この場合、変形例のＮＡＳ装置１０によれば、ＮＡＳ装置１０の通信方式としてＬＴＥ経由方式を選択することができる。
したがって、変形例のＮＡＳ装置１０によれば、ＮＡＳ装置１０が設置される環境に応じた通信方式を選択し、選択した通信方式によって無線通信させることができる。
【００４７】
＜第２実施形態＞
以下、図を参照して本発明の第２実施形態について説明する。
第１実施形態及び変形例では、ＮＡＳ装置１０と通信端末装置２０とが、ルータ経由方式、又はＬＴＥ経由方式によって無線通信する場合について説明した。
第２実施形態では、ＮＡＳ装置１０と通信端末装置２０とが、ＮＡＳ装置１０が提供する無線ＬＡＮ方式の無線通信によっても無線通信可能である場合について説明する。
なお、上述した第１実施形態、及び変形例と同様の構成については、同一の符号を付して説明を省略する。
【００４８】
図５は、第２実施形態に係るＮＡＳ装置１０及び通信端末装置２０の機能構成の一例を示す図である。
本実施形態のＮＡＳ装置１０は、無線ＬＡＮ（例えば、Ｗｉ−ｆｉ）方式の無線通信を提供する機能を有する。以下の説明において、ＮＡＳ装置１０が提供する無線ＬＡＮによって、ＮＡＳ装置１０と通信端末装置２０との間を接続する無線通信方式を「ＮＡＳ無線ＬＡＮ方式」とも記載する。
本実施形態のＮＡＳ装置１０は、上述したルータ経由方式、ＬＴＥ経由方式に加え、ＮＡＳ無線ＬＡＮ方式の３種類の方式によって、通信端末装置２０との間においてデータの送受信を行う。また、ＮＡＳ装置１０は、通信端末装置２０がインターネット、又は移動体通信網に接続する場合において、これらの通信を中継する機能を有する。
【００４９】
一例として、ルータＲＴがインターネットに接続されており、通信端末装置２０がルータＲＴを介してインターネットに接続する場合について説明する。
この一例の場合、ＮＡＳ装置１０は、通信端末装置２０との間の通信をＮＡＳ無線ＬＡＮ方式によって行う。また、ＮＡＳ装置１０は、ルータＲＴとの間の通信を無線ＬＡＮ（例えば、Ｗｉ−ｆｉ）方式によって行う。このＮＡＳ装置１０とルータＲＴとの間の無線ＬＡＮは、ルータＲＴが提供する。以下の説明において、ルータＲＴが提供する無線ＬＡＮによって、ＮＡＳ装置１０とルータＲＴとの間を接続する無線通信方式を「ルータ無線ＬＡＮ方式」とも記載する。
具体的には、通信端末装置２０がインターネットに対して通信を行う場合、ＮＡＳ装置１０は、通信端末装置２０との間の通信を「ＮＡＳ無線ＬＡＮ方式」によって行い、インターネットに対する通信を「ルータ無線ＬＡＮ方式」によって行う。
つまり、ＮＡＳ装置１０は、通信端末装置２０とルータＲＴとの間において、インターネット接続を中継する。
【００５０】
より具体的には、第１の実施形態において説明した構成と同様に、ＮＡＳ装置１０は、通信端末装置２０の接続状態情報ＣＤ１に基づいて、ＮＡＳ装置１０の通信方式を選択し、選択した通信方式によって無線通信する。この一例では、ＮＡＳ装置１０は、ルータ経由方式をＮＡＳ装置１０の通信方式として選択し、無線通信する。
ＮＡＳ装置１０と通信端末装置２０とは、ＮＡＳ無線ＬＡＮ方式の無線通信によってデータを送受信する。ここで、ＮＡＳ装置１０は、ＮＡＳ無線ＬＡＮ方式の通信を使用する際に用いられる鍵情報ＫＹＮを、ＢＬＥ方式の無線通信によって通信端末装置２０に送信する。通信端末装置２０は、受信した鍵情報ＫＹＮに基づいて、ＮＡＳ無線ＬＡＮ方式の通信設定を行う。
なお、ＮＡＳ装置１０と通信端末装置２０とは、例えば、ＷＰＳ（Ｗｉ−Ｆｉ  Ｐｒｏｔｅｃｔｅｄ  Ｓｅｔｕｐ）によってＮＡＳ無線ＬＡＮ方式の通信設定を行ってもよい。
【００５１】
別の一例として、ＮＡＳ装置１０がＬＴＥなどの移動体通信網に接続されており、通信端末装置２０がＮＡＳ装置１０を介して移動体通信網に接続する場合について説明する。
この一例の場合、ＮＡＳ装置１０は、通信端末装置２０との間の通信をＮＡＳ無線ＬＡＮ方式によって行う。また、ＮＡＳ装置１０は、移動体通信網との間の通信を行う。
つまり、ＮＡＳ装置１０は、通信端末装置２０による移動体通信網への接続を中継する。
【００５２】
＜第２実施形態のまとめ＞
以上説明したように、本実施形態のＮＡＳ装置１０は、Ｗｉ−Ｆｉ無線通信部１１０は、自装置が提供する無線通信方式である第３無線通信方式（この一例では、ＮＡＳ無線ＬＡＮ方式）によって、通信端末装置２０と無線通信する。
したがって、本実施形態のＮＡＳ装置１０によれば、通信端末装置２０がＮＡＳ無線ＬＡＮ方式によって送受信する情報を集約し、インターネットや移動体通信網に中継することができる。
ここで、通信端末装置２０が行う通信によっては、ルータ経由方式によって無線通信することが好ましい場合と、ＬＴＥ経由方式によって無線通信することが好ましい場合とがある。例えば、ＬＴＥ経由方式の無線通信が輻輳する場合、通信端末装置２０は、ルータ経由方式によって無線通信することが好ましい。本実施形態のＮＡＳ装置１０によれば、通信端末装置２０がＮＡＳ無線ＬＡＮ方式によって送受信する情報を集約し、ルータ経由方式、又はＬＴＥ経由方式の無線通信に振り分けることができる。
【００５３】
＜ＮＡＳ装置が通信端末装置の無線通信方式を指定する場合＞
なお、上述では、ＮＡＳ装置１０が、通信端末装置２０がＮＡＳ無線ＬＡＮ方式によって送受信する情報を集約する場合について説明したが、これに限られない。ＮＡＳ装置１０は、例えば、通信端末装置２０の通信方式を指定する機能を有していてもよい。この場合、ＮＡＳ装置１０が備えるＣＰＵ１４０は、選択部１４１と、通信方式指定部１４３とをその機能部として備える。
通信方式指定部１４３は、通信端末装置２０の無線通信方式を指定する。具体的には、通信方式指定部１４３は、通信端末装置２０がＮＡＳ無線ＬＡＮ方式の無線通信を自装置の通信方式として指定する。通信方式指定部１４３は、例えば、通信端末装置２０の無線通信方式を指定する指定情報を生成し、Ｗｉ−Ｆｉ無線通信部１１０が実現するＮＡＳ無線ＬＡＮ方式の無線通信によって通信端末装置２０に指定情報を生成する。通信端末装置２０は、ＮＡＳ装置１０から受信した指定情報に基づいて、ルータ経由方式、ＬＴＥ経由方式、及びＮＡＳ無線ＬＡＮ方式のうち、ＮＡＳ無線ＬＡＮ方式によって無線通信する。
したがって、本実施形態のＮＡＳ装置１０によれば、通信端末装置２０が送受信する情報を集約し、インターネットや移動体通信網に中継することができる。
【００５４】
なお、この一例におけるＮＡＳ装置１０は、ＬＴＥによる通信端末装置２０との通信において、この加入者識別子ＩＤを利用することにより通信の認証を行う構成であってもよい。この場合、ＮＡＳ装置１０は、通信端末装置２０に装着されているＳＩＭの加入者識別子ＩＤが、予めＮＡＳ装置１０に登録されている場合、ＬＴＥによる通信端末装置２０との通信を許可する。
【００５５】
また、この一例におけるＮＡＳ装置１０は、Ｗｉ−Ｆｉによる通信端末装置２０との通信においても、この加入者識別子ＩＤを利用することにより通信の認証を行う構成であってもよい。この場合、ＮＡＳ装置１０は、通信端末装置２０に装着されているＳＩＭの加入者識別子ＩＤが、予めＮＡＳ装置１０に登録されている場合、Ｗｉ−Ｆｉによる通信端末装置２０との通信を許可する。
【００５６】
つまり、ＮＡＳ装置１０は、さまざまな通信端末装置のうち、予め登録されている通信端末装置２０のみと通信を行う。このように構成することにより、ＮＡＳ装置１０は、未認証の通信端末装置が記憶部にアクセスして、勝手にデータを読み書きしないようにアクセス制限を行うことができる。
【００５７】
例えば、ＮＡＳ装置１０は、記憶部のデータに対するアクセス認証を、ＳＩＭを用いて行う場合。このＳＩＭは、移動体通信網における通信のセキュリティについての対策が十分に施されたうえで、通信事業者によって提供される。つまり、ＳＩＭによるアクセス認証は、通信セキュリティに対する信頼性が十分に高い。したがって、本実施形態のＮＡＳ装置１０によれば、通信セキュリティについて、Ｗｉ−Ｆｉによる通信であっても、ＬＴＥによる通信と同等の信頼性を確保することができる。
【００５８】
なお、上記の各実施形態において、加入者識別子ＩＤとは、加入者情報の一例である。また、ＮＡＳ識別子ＩＤ１とは、第１加入者情報の一例である。また、端末識別子ＩＤ２とは、第２加入者情報の一例である。
【００５９】
なお、上記の各実施形態におけるＮＡＳ装置１０、及び通信端末装置２０が備える各部は、専用のハードウェアにより実現されるものであってもよく、また、メモリおよびマイクロプロセッサにより実現させるものであってもよい。
【００６０】
なお、ＮＡＳ装置１０、及び通信端末装置２０が備える各部は、メモリおよびＣＰＵ（中央演算装置）により構成され、ＮＡＳ装置１０、及び通信端末装置２０が備える各部の機能を実現するためのプログラムをメモリにロードして実行することによりその機能を実現させるものであってもよい。
【００６１】
また、ＮＡＳ装置１０、及び通信端末装置２０が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００６２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００６３】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００６４】
１０…ＮＡＳ装置、２０…通信端末装置、１２０、２２０…ＢＬＥ無線通信部、１４０、２６０…ＣＰＵ、１３０、２３０…ＬＴＥ無線通信部、１１０、２１０…Ｗｉ−Ｆｉ無線通信部、１５０、２７０…記憶部、２４０…操作部、２５０…表示部、ＲＴ…ルータ、ＫＹＲ、ＫＹＮ…鍵情報、ＣＤ１、ＣＤ２…接続状態情報
【図１】
2018113559.tif 000003
【図２】
2018113559.tif 000004
【図３】
2018113559.tif 000005
【図４】
2018113559.tif 000006
【図５】
2018113559.tif 000007